(57)【要約】      （修正有）【課題】新品のマスクと使用途中のマスクとを別々に収容することのできる衛生マスク用マスクケースを提供する。【解決手段】連接する３扇のシート材を含み、３扇のシート材のうち２扇のシート材の表面に制菌又は抗菌不織布が敷設されているとともに、いずれか１扇のシート材の表面とは反対側の面に該扇のシート材と該扇のシート材に重ねられた３扇とは別の１扇のシート材により形成されるポケットＰが設けられている。【選択図】図３
0003229891.tif 000002
【実用新案登録請求の範囲】
【請求項１】
連接する2扇のシート材から成り、一方の面に制菌又は抗菌不織布が敷設されているとともに、いずれか1扇の反対側の面に該扇と他の1扇のシート材によるポケットが設けられていることを特徴とする衛生マスク用マスクケース。
【請求項２】
連接する3扇のシート材から成り、そのうち2扇のシート材の表面に制菌又は抗菌不織布が敷設されているとともに、いずれか1扇の反対側の面に該扇と他の1扇のシート材によるポケットが設けられていることを特徴とする衛生マスク用マスクケース。
【請求項３】
1枚のシート材を折ることにより形成された請求項１又は２に記載の衛生マスク用マスクケース。
【請求項４】
前記シート材が板紙である請求項１〜３のいずれかに記載の衛生マスク用マスクケース。
【請求項５】
前記板紙が和紙である請求項４に記載の衛生マスク用マスクケース。
【考案の詳細な説明】
【技術分野】
【０００１】
本考案は、主に、食事の際等、一時的に取り外した衛生マスクを入れておくためのマスクケースに関する。
【背景技術】
【０００２】
新型コロナウイルス等の感染の拡大を防ぐため、日常生活の多くの場面においてマスクを着用することは必須になっている。しかし、食事等の際にはどうしても一時的に外さざるを得ない。そうして外したマスクを机上等に置いておくと、周囲の空気からウイルス等が付着する恐れがある。一方、それをそのままカバンや服のポケット等に入れると、他の物との接触によりウイルス等が付着する恐れがある。
【０００３】
特許文献１には未使用の又は使いかけのマスクを見栄えよく、かつ衛生的に収容することができるマスクケースが開示されている。このマスクケースでは、マスクを挟み込んだ内側シートを更に紙製の外側シート内に収容している。
【先行技術文献】
【特許文献】
【０００４】
【特許文献１】実登3221326号公報
【非特許文献】
【０００５】
【非特許文献１】数え方単位辞典  屏風[online], [令和2年6月20日検索],インターネット<URL: https://www.sanabo.com/kazoekata/ct_ha/hi/byobu/>
【考案の概要】
【考案が解決しようとする課題】
【０００６】
感染者数が低下し、政府や地方自治体からの外出自粛要請等が緩和されると、マスクをしない人の数も多くなってくる。しかし、レストラン等の飲食施設や茶菓を提供する寺院等の観覧施設では、やはり感染防止の観点から、来客にはマスクをしてもらうことを強く希望する。そのようなとき、入口において新品のマスクを来客に渡すか購入してもらう必要があるが、渡す或いは販売するマスクは1枚だけでよいため、どうしてもその包装は単なるビニール袋等の簡易なものとなる。そうすると、食事や喫茶等のために取り外したマスクの扱いに困る。
【０００７】
本考案が解決しようとする課題は、新品のマスクと使用途中のマスクとを別々に収容することのできるマスクケースを提供することである。
【課題を解決するための手段】
【０００８】
上記課題を解決するために成された本考案に係る衛生マスク用マスクケースの第１の態様のものは、連接する2扇のシート材から成り、一方の面に制菌又は抗菌不織布が敷設されているとともに、いずれか1扇の他方の面に該扇と他の1扇のシート材によるポケットが設けられていることを特徴とする。
【０００９】
上記課題を解決するために成された本考案に係る衛生マスク用マスクケースの第２の態様のものは、連接する3扇のシート材から成り、そのうち2扇のシート材の表面に制菌又は抗菌不織布が敷設されているとともに、いずれか1扇の反対側の面に該扇と他の1扇のシート材によるポケットが設けられていることを特徴とする。
【００１０】
ここで言う「扇」とは、屏風の数え方で用いる数詞である（非特許文献１）。ここで用いるシート材は、やや厚手の、しっかりしたシートである。シート材にはプラスチックシート等も用いることができるが、好適には板紙を用いることができる。板紙の場合、やや厚手の、しっかりした紙を用いるのが良く、坪量では50〜250g/m2程度の紙を用いることが好ましい。この板紙に和紙を用いることにより、手触りの柔らかいマスクケースとすることができる。また、シート材に古典的な模様や斬新な模様など、想定される使用場面に応じた様々な模様を印刷しておくと、使用者が違和感無く使用することができる。「制菌又は抗菌不織布」とは、制菌機能又は抗菌機能を持つ不織布であり、市販されているものを使用することができる。
【００１１】
本考案に係る衛生マスク用マスクケースの使い方は次の通りである。
第１の態様のものの場合、まず、衛生マスク用マスクケースを二つ折りにし、前記ポケットに新品のマスクを入れておく。このような新品のマスクをポケットに入れた衛生マスク用マスクケースを飲食施設や観覧施設等の入口に用意しておき、来客に渡す或いは販売する。来客は、その施設に入る際、新品のマスクを前記ポケットから取り出し、着用する。そして、衛生マスク用マスクケースはカバンや服のポケットに入れる。或いは手に持っている。食事や喫茶等によりマスクを外したときは、衛生マスク用マスクケースを取り出し、その2扇を広げる。そして、その制菌又は抗菌不織布が敷設されている面に外したマスクを置き、該2扇を折ってマスクを挟む。これにより、使用中のマスクを見栄え良く収納することができる。また、外したマスクは制菌又は抗菌不織布が敷設されている面に置くだけでよいため、顔から外してそこに置くまでマスク本体に触る必要がなく、マスクの耳の部分を扱うだけでよい。このため、マスクから手への、又は手からマスクへの感染を防止することができる。
【００１２】
第２の態様のものの場合、まず、衛生マスク用マスクケースを三つ折りにし、前記ポケットに新品のマスクを入れておく。このような新品のマスクをポケットに入れた衛生マスク用マスクケースを飲食施設や観覧施設等の入口に用意しておき、来客に渡す或いは販売する。来客は、その施設に入る際、新品のマスクを前記ポケットから取り出し、着用する。そして、衛生マスク用マスクケースはカバンや服のポケットに入れる。或いは手に持っている。食事や喫茶等によりマスクを外したときは、衛生マスク用マスクケースを取り出し、その3扇を広げる。そして、その制菌又は抗菌不織布が敷設されている2扇の間に外したマスクの本体部を入れ、該2扇を折って本体部を挟む。その後、マスクの耳を上側の1扇の上に折り込み、その上に残りの1扇を折って重ねる。これにより、使用中のマスクを見栄え良く収納することができる。この態様のものでは、マスクの本体のみが制菌又は抗菌不織布により挟まれ、マスクの耳がマスク本体に接触することがない。また、マスクの耳が第2扇と第3扇の間で挟まれ、外から見えることなくきれいに保持される。マスクから手への、又は手からマスクへの感染を防止することができるのは上記第１の態様のものと同様である。
【００１３】
なお、上記説明ではポケットに新品マスクを入れた状態で渡し又は販売するとしたが、もちろん、本考案に係る衛生マスク用マスクケースは、ポケットに新品マスクを入れることなく、使用途中のマスクのケースとしてのみ用いることも可能である。
【考案の効果】
【００１４】
本考案に係るマスクケースでは、新品のマスクと使用途中のマスクとを別々に収容することができ、様々な場面で便利に使用することができる。
【図面の簡単な説明】
【００１５】
【図１】本考案の第２の態様のマスクケースを作製する手順の最初の4工程を示す工程図。
【図２】前記手順の最後の2工程を示す工程図。
【図３】本考案の第２の態様のマスクケースのポケット側の面を示す平面図。
【図４】本考案の第１の態様のマスクケースの不織布側の面を示す平面図(a)及びポケット側の面を示す平面図(b)。
【考案を実施するための形態】
【００１６】
本考案の第２の態様のマスクケースを作製する手順を図１及び図２により説明する。まず、細長い板紙を用意し、それをほぼ等分の6つの部分Ａ〜Ｆに分けるように、折り目を付ける（図１(a)）。図１において、手前側の面（裏面）が谷折りになる折り目を点線で、山折りになる折り目を一点鎖線で表した。また、裏面を白で、反対側の面（向こう側の面、表面）をハッチングで表した。各部分Ａ〜Ｆの周囲には、適宜、折り代を設ける。
【００１７】
最初に、Ａ部とＢ部の上下の折り代を折り込む（図１(b)）。次に、Ａ部をＢ部に重ね、Ａ部の外側の折り代を手前側に折り込んでおく（図１(c)）。そして、Ｄ部とＥ部をＣ部の向こう側（裏側）に折り込む（図１(d)）。これにより、Ｃ部の裏側に後述のポケットＰが形成される。
【００１８】
この状態で、Ｃ部とＦ部にまたがるように、制菌又は抗菌不織布Ｇを置き（図２(a)）、Ａ部の外側、Ｅ部の上下、Ｆ部の上下および外側の折り代を不織布Ｇ上に重ね、糊付けする（図２(a)）。これにより、不織布ＧがＣ部とＦ部の2扇にまたがって敷設され（図２(b)）、また、裏側ではポケットＰが完成する（図３）。Ｅ部の上下の折り代を不織布Ｇの上に折り込んだとき、Ｃ部とＤ部の上下の折り代は低いためその中に隠れ、見栄えが良くなるようになっている。なお、折り代の糊付けは、普通の糊や接着剤を用いてもよいし、両面テープを用いても良い。制菌又は抗菌不織布Ｇの種類によっては、それをきちんと糊付けするための糊や接着剤、両面テープ等が必要となる場合がある。
【００１９】
図４に、本考案の第１の態様である、2扇のマスクケースを示す。図４(a)が不織布側の面を示す平面図であり、(b)がポケット側の面を示す平面図である。
【符号の説明】
【００２０】
Ａ〜Ｆ…素材の板紙の、折り目で区切られた各部
Ｇ…不織布
Ｐ…ポケット
【図１】
0003229891.tif 000003
【図２】
0003229891.tif 000004
【図３】
0003229891.tif 000005
【図４】
0003229891.tif 000006
【手続補正書】
【提出日】令和2年8月28日(2020.8.28)
【手続補正１】
【補正対象書類名】実用新案登録請求の範囲
【補正対象項目名】全文
【補正方法】変更
【補正の内容】
【実用新案登録請求の範囲】
【請求項１】
連接する2扇のシート材を含み、前記2扇のシート材の一方の面に制菌又は抗菌不織布が敷設されているとともに、いずれか1扇のシート材の前記一方の面とは反対側の面に該扇のシート材と前記2扇とは別の1扇のシート材により形成されるポケットが設けられていることを特徴とする衛生マスク用マスクケース。
【請求項２】
連接する3扇のシート材を含み、前記3扇のシート材のうち2扇のシート材の表面に制菌又は抗菌不織布が敷設されているとともに、いずれか1扇のシート材の前記表面とは反対側の面に該扇のシート材と前記3扇とは別の1扇のシート材により形成されるポケットが設けられていることを特徴とする衛生マスク用マスクケース。
【請求項３】
1枚のシート材を折ることにより形成された請求項１又は２に記載の衛生マスク用マスクケース。
【請求項４】
前記シート材が板紙である請求項１〜３のいずれかに記載の衛生マスク用マスクケース。
【請求項５】
前記板紙が和紙である請求項４に記載の衛生マスク用マスクケース。
【手続補正書】
【提出日】令和2年10月7日(2020.10.7)
【手続補正１】
【補正対象書類名】実用新案登録請求の範囲
【補正対象項目名】全文
【補正方法】変更
【補正の内容】
【実用新案登録請求の範囲】
【請求項１】
連接する2扇のシート材を含み、前記2扇のシート材の一方の面に制菌又は抗菌不織布が敷設されているとともに、いずれか1扇のシート材の前記一方の面とは反対側の面に該扇のシート材と該扇のシート材に重ねられた前記2扇とは別の1扇のシート材により形成されるポケットが設けられていることを特徴とする衛生マスク用マスクケース。
【請求項２】
連接する3扇のシート材を含み、前記3扇のシート材のうち2扇のシート材の表面に制菌又は抗菌不織布が敷設されているとともに、いずれか1扇のシート材の前記表面とは反対側の面に該扇のシート材と該扇のシート材に重ねられた前記3扇とは別の1扇のシート材により形成されるポケットが設けられていることを特徴とする衛生マスク用マスクケース。
【請求項３】
1枚のシート材を折ることにより形成された請求項１又は２に記載の衛生マスク用マスクケース。
【請求項４】
前記シート材が板紙である請求項１〜３のいずれかに記載の衛生マスク用マスクケース。
【請求項５】
前記板紙が和紙である請求項４に記載の衛生マスク用マスクケース。